(57)【要約】【課題】モバイル端末と操作パネルのそれぞれから操作可能な画像形成装置において、操作パネルに設けられたスタートキーが押された場合に、モバイル端末の設定情報と操作パネルの設定情報のいずれを反映させたらよいか判定する。【解決手段】画像形成装置１は、操作パネル１１とモバイル端末２とのそれぞれから操作可能に構成されている。操作パネル１１にはスタートキーが設けられており、動作判定処理部１７２は、スタートキーが押された場合に、操作パネル１１の操作状況に基づいて、モバイル端末２の設定情報と操作パネル１１の設定情報のいずれに基づいて動作するかを判定する。【選択図】図１
2015220654.tif 000002
【特許請求の範囲】
【請求項１】
モバイル端末と操作パネルのそれぞれから操作可能な画像形成装置であって、
前記操作パネルに設けられたスタートキーが押された場合に、
前記操作パネルの操作状況に基づいて、前記モバイル端末で設定された設定情報と前記操作パネルで設定された設定情報のいずれを反映させるかを判定する動作判定処理部を
備えたことを特徴とする画像形成装置。
【請求項２】
前記操作パネルから前記モバイル端末に操作を移行可能な操作移行部を備え、
前記動作判定処理部は、
前記スタートキーが押された場合に、前記操作パネルから前記モバイル端末に操作移行後に前記操作パネルの設定情報が変わったか否かを判定し、
変わっていない場合には、前記モバイル端末で設定された設定情報を反映させ、
変わった場合には、前記操作パネルの設定情報が初期状態であるか否かを判定し、初期状態でない場合に、前記操作パネルで設定された設定情報を反映させ、初期状態である場合に、前記操作パネルで設定された設定情報又は前記モバイル端末で設定された設定情報のいずれを反映させるかユーザーに選択させる
ことを特徴とする請求項１に記載の画像形成装置。
【請求項３】
前記操作パネルから前記モバイル端末に操作が移行されたときに、前記操作パネルの設定情報は初期化されずに保持される
ことを特徴とする請求項２に記載の画像形成装置。
【請求項４】
前記操作パネルから前記モバイル端末に操作を移行可能な操作移行部を備え、
前記操作パネルから前記モバイル端末に操作が移行されたときに、前記操作パネルの設定情報は初期化され、
前記動作判定処理部は、
前記スタートキーが押された場合に、前記スタートキー以外のキー操作があったか否かを判定し、
前記キー操作がなかった場合には、前記モバイル端末で設定された設定情報を反映させ、
前記キー操作があった場合には、前記操作パネルの設定情報が初期状態であるか否かを判定し、初期状態でない場合に、前記操作パネルで設定された設定情報を反映させ、初期状態である場合に、前記操作パネルで設定された設定情報又は前記モバイル端末で設定された設定情報のいずれを反映させるかユーザーに選択させる
ことを特徴とする請求項１に記載の画像形成装置。
【発明の詳細な説明】
【技術分野】
【０００１】
本発明は、モバイル端末と操作パネルのそれぞれから操作可能な画像形成装置に関する。
【背景技術】
【０００２】
従来、画像形成装置には、操作パネルとモバイル端末のそれぞれから操作可能なものがあり、ジョブ毎に印刷設定等の設定情報を変えることができる。通常、操作パネルでジョブの実行開始を指示する操作キー（例えばスタートキー）が押された場合には、操作パネルで設定された設定情報に基づいてジョブが実行される。また、モバイル端末でジョブの実行を指示する操作キー（例えば実行キー）が押された場合には、モバイル端末で設定された設定情報が画像形成装置に送信され、送信された設定情報に基づいてジョブが実行される。中には、操作パネルで設定情報を変更し、変更した設定情報を外部端末から受信した印刷データに反映させて印刷する技術も知られている（例えば、特許文献１を参照）。
【先行技術文献】
【特許文献】
【０００３】
【特許文献１】特開2001-293937号公報
【発明の概要】
【発明が解決しようとする課題】
【０００４】
しかしながら、従来の技術では、モバイル端末の操作者が、画像形成装置の近くにいた場合等に、モバイル端末ではなく、画像形成装置に設けられたスタートキーを押してしまう場合があり、この場合、操作パネルの設定情報が反映され、モバイル端末の設定情報が反映されないという問題があった。一方で、操作パネルで設定操作を行ったユーザーがスタートキーを押す場合もあり、操作パネルのスタートキーが押された場合に、操作パネルの設定情報とモバイル端末の設定情報のいずれを反映させたらよいか分からないという問題があった。
【０００５】
本発明は上記課題に鑑みてなされたものであり、上記課題を解決することができる技術を提供することを目的とする。
【課題を解決するための手段】
【０００６】
本発明は、モバイル端末と操作パネルのそれぞれから操作可能な画像形成装置であって、前記操作パネルに設けられたスタートキーが押された場合に、前記操作パネルの操作状況に基づいて、前記モバイル端末で設定された設定情報と前記操作パネルで設定された設定情報のいずれを反映させるかを判定する動作判定処理部を備えたことを特徴とする。
また、前記操作パネルから前記モバイル端末に操作を移行可能な操作移行部を備え、前記動作判定処理部は、前記スタートキーが押された場合に、前記操作パネルから前記モバイル端末に操作移行後に前記操作パネルの設定情報が変わったか否かを判定し、変わっていない場合には、前記モバイル端末で設定された設定情報を反映させ、変わった場合には、前記操作パネルの設定情報が初期状態であるか否かを判定し、初期状態でない場合に、前記操作パネルで設定された設定情報を反映させ、初期状態である場合に、前記操作パネルで設定された設定情報又は前記モバイル端末で設定された設定情報のいずれを反映させるかユーザーに選択させてもよい。
また、前記操作パネルから前記モバイル端末に操作が移行されたときに、前記操作パネルの設定情報は初期化されずに保持されてもよい。
また、前記操作パネルから前記モバイル端末に操作を移行可能な操作移行部を備え、前記操作パネルから前記モバイル端末に操作が移行されたときに、前記操作パネルの設定情報は初期化され、前記動作判定処理部は、前記スタートキーが押された場合に、前記スタートキー以外のキー操作があったか否かを判定し、前記キー操作がなかった場合には、前記モバイル端末で設定された設定情報を反映させ、前記キー操作があった場合には、前記操作パネルの設定情報が初期状態であるか否かを判定し、初期状態でない場合に、前記操作パネルで設定された設定情報を反映させ、初期状態である場合に、前記操作パネルで設定された設定情報又は前記モバイル端末で設定された設定情報のいずれを反映させるかユーザーに選択させてもよい。
【発明の効果】
【０００７】
本発明によれば、モバイル端末と操作パネルのそれぞれから操作可能な画像形成装置において、操作パネルに設けられたスタートキーが押された場合に、モバイル端末の設定情報と操作パネルの設定情報のいずれを反映させたらよいか判定することができる技術を提供できる。
【図面の簡単な説明】
【０００８】
【図１】本発明に係る実施形態の画像形成装置の構成を示すブロック図である。
【図２】図１に示す操作移行部と動作判定処理部の処理の流れを示すフローチャートである。
【図３】図１に示す操作移行部と動作判定処理部の処理の流れを示す他のフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
図１に示すように、画像形成装置１は、操作パネル１１と原稿読取部１２と記憶部１３と画像処理部１４と印刷部１５と通信部１６と制御部１７とを備えている。
【００１１】
操作パネル１１は、タッチパネルと操作ボタンとを備えている。タッチパネルは、各種操作キーや画像形成状況を表示する表示部の表面に透明の感圧センサーが設けられており、表示手段及び入力手段として機能する。タッチパネルは、表示面へのタッチ操作を検知して、タッチ操作が検知された位置に対応する信号を出力することで、表示部に表示した操作キーへの操作を受け付ける。また、操作ボタンは、印刷枚数等の数値を入力するためのテンキー、設定情報を初期化させる指示を入力するためのリセットキー、複写動作を停止させるためのストップキー、設定情報に基づく動作を開始させる指示を入力するためのスタートキー等の各種操作キーを備えている。
【００１２】
原稿読取部１２は、図示しない原稿給紙装置により給紙されてきた原稿や、ユーザーによってプラテンガラスに載置された原稿に対して光を照射し、その反射光等を受光して原稿画像を読み取るスキャナーである。
【００１３】
記憶部１３は、半導体メモリやＨＤＤ等の記憶手段であり、原稿読取部１２によって読み取られた画像データや、通信部１６によって受信された画像データなどが蓄積される記憶手段である。
【００１４】
画像処理部１４は、画像データに対して所定の画像処理を行う手段である。画像処理部１４では、例えば、拡大縮小処理や、濃度調整、階調調整等の画像改善処理が行われる。
【００１５】
印刷部１５は、記憶部１３に記憶された画像データを印刷する印刷手段である。印刷部１５は、例えば、記憶部１３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１６】
通信部１６は、無線ネットワーク経由で画像形成装置１を操作可能なモバイル端末２と各種データを送受信する機能を有する。他にも、通信部１６は、ＬＡＮ（Local Area Network）ケーブルを介してパーソナルコンピュータ等の外部端末と各種データを送受信する機能を有してもよい。
【００１７】
制御部１７は、操作パネル１１、原稿読取部１２、記憶部１３、画像処理部１４、印刷部１５及び通信部１６にそれぞれ接続されている。制御部１７は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１７は、ＲＯＭに記憶されている制御プログラムを読み出し、制御プログラムをＲＡＭに展開させることで、装置全体の制御を行う。また、制御部１７は、操作パネル１１からモバイル端末２に操作を移行する操作移行部１７１と、操作パネル１１に設けられたスタートキーが押された場合に、操作パネル１１の設定情報とモバイル端末２の設定情報のいずれを反映させるかを判定する動作判定処理部１７２として機能する。
【００１８】
具体的に図２を参照して、操作移行部１７１及び動作判定処理部１７２の処理の流れを説明する。
【００１９】
操作移行部１７１は、操作パネル１１を介して設定情報の設定操作を受け付けると（ステップｓ１１）、設定された設定情報を保持し（ステップｓ１２）、周囲にモバイル端末２があるか判定する（ステップｓ１３）。例えば、操作移行部１７１は、予め画像形成装置１に登録された操作移行可能なモバイル端末２に無線で応答要求を送信し、モバイル端末２から応答があった場合に、周囲にモバイル端末２があると判定し、応答がなかった場合に、周囲にモバイル端末２がないと判定してもよい。
【００２０】
周囲にモバイル端末２がなかった場合には（ステップｓ１３でＮｏ）、本処理が終了する。
【００２１】
一方、周囲にモバイル端末２がある場合（ステップｓ１３でＹｅｓ）、操作移行部１７１は、モバイル端末２のパネル情報（カラーかモノクロか等や、解像度やパネルの大きさ等）を取得し、モバイル端末２で受け付けた方が操作性の良い設定操作が行えるか否かを判定する（ステップｓ１４）。例えば、操作移行部１７１は、コピーの連続読込設定操作やプレビュー操作等を受け付けた際に、モバイル端末２で受け付けた方が操作性の良い設定操作が行えるかどうかを判定してもよい。モバイル端末２で受け付けた方が操作性の良い設定操作を行えないと判定した場合（ステップｓ１４でＮｏ）、操作移行部１７１は、本処理を終了する。
【００２２】
一方、モバイル端末２で受け付けた方が操作性の良い設定操作が行えると判定した場合（ステップｓ１４でＹｅｓ）、操作移行部１７１は、モバイル端末２に操作を移行するか否かをユーザーに選択させるメッセージを操作パネル１１に表示させる（ステップｓ１５）。
【００２３】
メッセージにおいて、ユーザーがモバイル端末２に操作を移行しない旨を選択すると（ステップｓ１６でＮｏ）、操作移行部１７１は、本処理を終了する。なお、ユーザーがモバイル端末２に操作を移行しない旨を選択した場合や（ステップｓ１６でＮｏ）、周囲にモバイル端末がない場合（ステップｓ１３でＮｏ）、モバイル端末２で受け付けた方が操作性の良い設定操作を行えない場合（ステップｓ１４でＮｏ）には、ユーザーが操作パネル１１で設定情報の設定操作を行って、スタートキーを押すと、操作パネル１１の設定情報に基づいて画像形成装置１を動作させることができる。
【００２４】
一方、メッセージにおいて、ユーザーがモバイル端末２に操作を移行する旨を選択すると（ステップｓ１６でＹｅｓ）、操作移行部１７１は、操作パネル１１で受け付けた設定情報をモバイル端末２に送信する（ステップｓ１７）。
【００２５】
画像形成装置１からモバイル端末２に送信される設定情報には、操作パネル１１で設定された設定情報と最後に設定情報の設定操作を受け付けていた操作画面情報とが含まれる。モバイル端末２では、画像形成装置１から設定情報が送信されると、送信された設定情報を反映した状態で操作画面を表示する。そのため、ユーザーは操作パネル１１で行っていた操作の続きからモバイル端末２で操作することができる。この後、モバイル端末２で設定操作が行われ、モバイル端末２で実行キーを押す等の確定操作が行われると、モバイル端末２の設定情報が画像形成装置１に送信され、送信された設定情報に基づいて画像形成装置１が動作する。
【００２６】
なお、モバイル端末２は、操作パネル１１の操作画面に対応する操作画面を表示可能である。また、ユーザーの気が変わり、モバイル端末２ではなく操作パネル１１で操作したくなったときのために、モバイル端末２に操作情報が送信された後も、操作パネル１１の設定情報は初期化されずに保持される。なお、操作パネル１１が所定時間操作されなかったり、画像形成装置１が所定時間ジョブを実行しなかったりすると、オートリセットされ、操作パネル１１の設定情報は初期化される。
【００２７】
操作移行部１７１がモバイル端末２に操作パネル１１の設定情報を送信すると、動作判定処理部１７２は、モバイル端末２に送信した操作パネル１１の設定情報を記憶部１３に記憶して（ステップｓ１８）、ステップｓ１９に処理を進める。
【００２８】
つづいて、動作判定処理部１７２は、操作パネル１１に設けられたスタートキーが押されたか判定し（ステップｓ１９）、スタートキーが押されていない場合（ステップｓ１９でＮｏ）、ステップｓ１９に処理を戻す。スタートキーが押されると（ステップｓ１９でＹｅｓ）、動作判定処理部１７２は、記憶部１３に記憶した操作パネル１１の設定情報と、スタートキーが押されたときの操作パネル１１の設定情報との間で、操作パネル１１の設定情報に変更があったか判定する（ステップｓ２０）。
【００２９】
操作パネル１１の設定情報に変更がない場合（ステップｓ２０でＮｏ）、動作判定処理部１７２は、スタートキーがモバイル端末２の操作者によって押されたと判定し、モバイル端末２の設定情報を取得し（ステップｓ２１）、ステップｓ２６に処理を進める。例えば、動作判定処理部１７２は、無線でモバイル端末２に設定情報の送信要求を送信し、モバイル端末２から設定情報を取得してもよい。
【００３０】
一方、操作パネル１１の設定情報に変更がある場合（ステップｓ２０でＹｅｓ）、動作判定処理部１７２は、操作パネル１１の設定情報が初期状態であるか判定する（ステップｓ２２）。操作パネル１１の設定情報が初期状態となる場合には、操作パネル１１が所定時間操作されなかったり、画像形成装置１が所定時間ジョブを実行しなかったりして、オートリセットした場合と、操作パネル１１に設けられたリセットキーが押された場合などがある。
【００３１】
操作パネル１１の設定情報が初期状態でない場合（ステップｓ２２でＮｏ）、動作判定処理部１７２は、スタートキーがモバイル端末２の操作者以外のユーザーによって押されたと判定し、操作パネル１１の設定情報を取得して（ステップｓ２５）、ステップｓ２４に処理を進める。つまり、この場合、操作パネル１１からモバイル端末２に操作移行後に、モバイル端末２の操作者以外のユーザーが操作パネル１１を操作して、スタートキーを押していると判定される。
【００３２】
一方、操作パネル１１の設定情報が初期状態である場合（ステップｓ２２でＹｅｓ）、動作判定処理部１７２は、スタートキーがモバイル端末２の操作者により押されたのか、モバイル端末２の操作者以外のユーザーにより押されたのか判断が付かないと判定し、操作パネル１１の設定情報を取得するか、又はモバイル端末２の設定情報を取得するかをユーザーに問い合わせるメッセージを操作パネル１１に表示させる（ステップｓ２３）。つまり、この場合、モバイル端末２の操作者が、設定操作に手間取ったり途中でどこかに行ってしまったりして、スタートキーを押すまでに時間が掛かり、意図せずオートリセットにより操作パネル１１の設定情報が初期状態になった場合と、モバイル端末２の操作者以外のユーザーが、スタートキーを押す前に、操作パネル１１に設けられたリセットキーを押して、意図的に操作パネル１１の設定情報を初期状態にした場合とが考えられ、区別できないからである。
【００３３】
つづいて、動作判定処理部１７２は、メッセージにおいて、モバイル端末２の設定情報を取得することが選択されたか判定する（ステップｓ２４）。モバイル端末２の設定情報を取得することが選択された場合には（ステップｓ２４でＹｅｓ）、動作判定処理部１７２は、モバイル端末２の設定情報を取得し（ステップｓ２１）、モバイル端末２の設定情報を取得しないことが選択された場合には（ステップｓ２４でＮｏ）、操作パネル１１の設定情報を取得する（ステップｓ２５）。
【００３４】
つづいて、動作判定処理部１７２は、操作パネル１１又はモバイル端末２から取得した設定情報に基づいて動作し（ステップｓ２６）、本処理を終了する。
【００３５】
このように、本実施形態では、モバイル端末２と操作パネル１１のそれぞれから操作可能な画像形成装置１において、操作パネル１１のスタートキーが押された場合に、操作パネル１１の操作状況に基づいて、モバイル端末２の設定情報と操作パネル１１の設定情報とのいずれを反映するか判定する動作判定処理部１７２を設けている。そのため、モバイル端末２の操作者が、モバイル端末２で確定操作を行わずに、操作パネル１１のスタートキーを押してしまった場合でも、モバイル端末２で設定した設定情報に基づいて画像形成装置１を動作させることができる。
【００３６】
本発明は上述した実施の形態に限定されるものではなく、本発明の趣旨を逸脱しない範囲で種々様々に変更が可能であることは言うまでもない。
【００３７】
例えば、上記実施形態では、モバイル端末２に操作パネル１１の設定情報が送信されると、操作パネル１１の設定情報が記憶部１３に記憶されたが、初期化されてもよい。図３は、モバイル端末２に操作パネル１１の設定情報を送信した後で、操作パネル１１の設定情報を初期状態にする場合における動作判定処理部１７２の処理の流れを示したフローチャートである。
【００３８】
図３に示すフローチャートは、ステップｓ５８及びステップｓ６０の処理が、図２に示すフローチャートのステップｓ１８及びステップｓ２０の処理と異なるのみで、他のステップｓ５１〜５７、ｓ５９、ｓ６１〜６６の処理は図２に示すフローチャートのステップｓ１１〜１７、ｓ１９、ｓ２１〜２６の処理にそれぞれ対応している。
【００３９】
図３に示すフローチャートでは、モバイル端末２に操作パネル１１の設定情報が送信されると（ステップｓ５７）、動作判定処理部１７２は、操作パネル１１の設定情報を初期状態にする（ステップｓ５８）。その後、動作判定処理部１７２は、スタートキーが押された場合に（ステップｓ５９）、スタートキー以外にキー操作があったか判定する（ステップｓ６０）。スタートキー以外にキー操作がなかった場合には（ステップｓ６０でＮｏ）、動作判定処理部１７２は、モバイル端末２の設定情報を取得する（ステップｓ６１）。スタートキー以外にキー操作があった場合には（ステップｓ６０でＹｅｓ）、動作判定処理部１７２は、操作パネル１１の設定情報が初期状態か判定し（ステップｓ６２）、初期状態でない場合には（ステップｓ６２でＮｏ）、操作パネル１１の設定情報を取得する（ステップｓ６５）。操作パネル１１の設定情報が初期状態である場合には（ステップｓ６２でＹｅｓ）、動作判定処理部１７２は、ユーザーにモバイル端末２の設定情報を取得するか、操作パネル１１の設定情報を取得するか選択させ（ステップｓ６３、６４）、選択結果に応じて、モバイル端末２の設定情報又は操作パネル１１の設定情報を取得する（ステップｓ６１、６５）。これによれば、モバイル端末２に操作パネル１１の設定情報を送信した後で、記憶部１３に操作パネル１１の設定情報を記憶しなくてもよい。
【符号の説明】
【００４０】
１  画像形成装置
２  モバイル端末
１１  操作パネル
１２  原稿読取部
１３  記憶部
１４  画像処理部
１５  印刷部
１６  通信部
１７  制御部
１７１  操作移行部
１７２  動作判定処理部
【図１】
2015220654.tif 000003
【図２】
2015220654.tif 000004
【図３】
2015220654.tif 000005